(57)【特許請求の範囲】
【請求項１】
キャップと、該キャップにより一体に形成される開口部を密閉してなる化粧料容器本体とからなり、
該キャップは、その底面を開口部に対して凹陥する湾曲面とするパッキン部と伸縮自在となるバネ部とからなるパッキンとともに軸部先端に塗布部を具える塗布具を内装保持した上で、その開口内周面において部分的に突出して形成される複数の突条縁を形成し、
該化粧料容器本体は、開口部の外周面において外方へ膨出する略半球面状の嵌合部を形成するとともに、その内部には塗布具の軸部や塗布部の表面に過剰に付着した化粧料を扱いてなるシゴキを一体に形成し、その先端面は前記パッキンの底面と密着、摺動自在となるようにパッキン方向に突出する湾曲面とする開口部材を内装固持し、
該キャップのパッキンの底面と、化粧料容器本体の開口部に固持される開口部材の先端面とで密着して摺動自在となる気密摺動部を構成し、
該キャップの複数の突条縁間と、化粧料容器本体の開口部の略半球面状の嵌合部とで、密着して傾動摺動自在、且つ回転摺動自在となる回転軸受部を構成し、
塗布具を保持するキャップが化粧料容器本体の開口部に対して密着しつつ傾動自在、且つ回転自在とするものであって、
該気密摺動部を化粧料容器本体の開口部に固持される開口部材の先端面とともに構成するパッキンのパッキン部がキャップの傾動、かつ回転にあわせて該開口部材の先端面に密着するように、パッキンのバネ部が塗布具の軸部に沿って伸縮自在となる
ことを特徴とする化粧料容器。
【請求項２】
上記パッキンにおいて、その底面が化粧料容器本体の開口部に対して凹陥する湾曲面であるパッキン部と、塗布具の軸部に沿って伸縮自在となるバネ部とを一体に成形してなる  ことを特徴とする請求項１記載の化粧料容器。
【請求項３】
上記パッキンにおいて、底面を化粧料容器本体の開口部側に対して凹陥する湾曲面とするパッキン部と、塗布具の軸部に沿って伸縮自在となるバネ部に代えて該パッキン部と塗布具の軸の根元部との間に挟持されるスプリングとからなる
ことを特徴とする請求項１記載の化粧料容器。
【発明の詳細な説明】
【技術分野】
【０００１】
本願発明は、例えば口紅、リップグロス、アイシャドー又はマスカラ等の液状、半固形状又は粉状の化粧料（以下、「化粧料」という。）を収容する化粧料容器に関する。
【背景技術】
【０００２】
従来、上記化粧料の化粧料容器は、キャップと化粧料容器本体の開口部とをネジの歯合により一体としているものものである。従って、化粧料容器本体内に収容される化粧料の量が少なくなって、該化粧料容器本体の底部に残る化粧料を塗布具先端の塗布体に付着させようとすると、該キャップと化粧料容器本体開口部とのネジの歯合を解き、キャップを化粧料容器本体の開口部より引き上げた状態、すなわち、化粧料容器本体内における塗布具の長さが短くなった状態で行うものである。その結果、塗布具先端に具える塗布体は化粧料容器本体の底部に対して全く届かず、化粧料容器内に収容される化粧料を確実に使い切ることができなかった。
【０００３】
そのため、化粧料容器の底部に残る上記化粧料を可能な限り使い切れるように、塗布具を保持するキャップを化粧料容器本体の開口部から離脱させることなく円滑にしかも確実に傾動摺動自在且つ回転摺動自在となるものとして、該塗布具先端に具える塗布体に対して化粧料容器本体の底部に残る化粧料を可能な限り付着させてなるものがある（特許文献１、２参照）。その結果、キャップを化粧料容器本体の開口部に一体としたままで前記キャップと化粧料容器本体の開口部とを一体にする回転軸受部により、キャップに保持される塗布具は化粧料容器本体内において傾動自在、且つ回転自在となる。その結果、化粧料容器本体内において塗布具の長さを有効に利用できるので、該塗布具先端に具える塗布体は化粧料容器本体の底部方向にまで届くようになり、より確実に化粧料容器本体内の底部に残る化粧料を使い切ることができるものとなる。
【０００４】
しかしながら、上記化粧料容器では、塗布具の先端の塗布部の破損を防止するために、化粧料容器本体において開口部先端から底部までの長さに対して、該塗布具の長さが短く設定されているものである。その結果、塗布具先端は化粧料容器本体の底部まで完全には届かず、塗布具を化粧料容器本体内において傾動摺動且つ回転摺動させても化粧料容器本体の底部、特に化粧料容器本体の内周面底部近傍に残った化粧料を塗布体に付着させることができず、化粧料容器本体内に収容されている化粧料を完全に使い切ることができなかった。
【先行技術文献】
【特許文献】
【０００５】
【特許文献１】特開２００９−１５３８２６
【特許文献２】特開２００９−１５３９６３
【発明の概要】
【発明が解決しようとする課題】
【０００６】
解決しようとする課題は、化粧料容器本体内の密閉性を維持しつつ、該化粧料容器本体内の底部、特に化粧料容器本体内周面底部近傍に残る化粧料まで完全に使い切ることができないことである。
【課題を解決するための手段】
【０００７】
第１の特徴として、
キャップと、該キャップにより一体に形成される開口部を密閉してなる化粧料容器本体とからなり、
該キャップは、その底面を開口部に対して凹陥する湾曲面とするパッキン部と伸縮自在となるバネ部とからなるパッキンとともに軸部先端に塗布部を具える塗布具を内装保持した上で、その開口内周面において突出して形成される複数の突条縁を形成し、
該化粧料容器本体は、開口部の外周面において部分的に外方へ膨出する略半球面状の嵌合部を形成するとともに、その内部には塗布具の軸部や塗布部の表面に過剰に付着した化粧料を扱いてなるシゴキを一体に形成し、その先端面は前記パッキンの底面と密着、摺動自在となるようにパッキン方向に突出する湾曲面とする開口部材を内装固持し、
該キャップのパッキンの底面と、化粧料容器本体の開口部に固持される開口部材の先端面とで密着して摺動自在となる気密摺動部を構成し、
該キャップの複数の突条縁間と、化粧料容器本体の開口部の略半球面状の嵌合部とで、密着して傾動摺動自在、且つ回転摺動自在となる回転軸受部を構成し、
塗布具を保持するキャップが化粧料容器本体の開口部に対して密着しつつ傾動自在、且つ回転自在とするものであって、
該気密摺動部を化粧料容器本体の開口部に固持される開口部材の先端面とともに構成するパッキンのパッキン部がキャップの傾動、かつ回転にあわせて該開口部材の先端面に密着するように、パッキンのバネ部が塗布具の軸部に沿って伸縮自在となるものである。
【０００８】
そのため、化粧料容器本体の開口部に挿嵌される開口部材の先端面の湾曲面とパッキンの底面に形成される湾曲面とは該パッキンが伸縮しながら密着するとともに、キャップを傾動及び回転させることで、キャップに保持される塗布具は、前記回転軸受部を構成する突条縁間に対して嵌合する嵌合部を中心に化粧料容器本体内で傾動摺動自在、且つ回転摺動自在となるものである。その結果、化粧料容器本体の開口部を通して化粧料容器本体内に収容される化粧料を塗布具先端の塗布体に対して確実に付着させることができる。
【０００９】
一方、化粧料容器本体内に収容される化粧料の残量が少なくなっても、該化粧料容器本体をキャップ方向に押し込む（または、キャップを化粧料容器本体の開口部へ押し込む）ことで、キャップの突条縁とともに回転軸受部を構成する化粧料容器本体の開口部の外周面に形成される球面状の嵌合部はキャップの内周面に形成される複数の突条縁のうちキャップ側の突条縁を乗り越えるとともに、化粧料容器本体の開口部内に固持される開口部材の先端面が密着する底面を有するパッキンを圧縮するものである。従って、化粧料容器本体の開口部の嵌合部は、乗り越えた突条縁の上部で該突条縁とキャップの内周面との間で新たに傾動摺動自在、且つ回転摺動自在となる回転軸受部を構成することになる。その結果、キャップの保持される塗布具自体の長さは変わらないものの、化粧料容器本体内でのキャップと化粧料容器本体とが接近することで化粧料容器本体内における塗布具の長さが相対的に長くなるので該塗布具先端に具える塗布部は化粧料容器本体の底部にまで届くものとなる。その結果、キャップを化粧料容器本体に対して傾動摺動自在且つ回転摺動自在とすることで、化粧料容器本体の底部、特に化粧料容器本体の内周面底部近傍に残る化粧料を確実に付着させて、使い切ることができる。
【００１０】
第１の特徴を踏まえて、
第２の特徴として、上記パッキンにおいて、その底面が化粧料容器本体の開口部に対して凹陥する湾曲面であるパッキン部と、塗布具の軸部に沿って伸縮自在となるバネ部とを一体に成形してなるものである。
【００１１】
そのため、部品点数を減らすとともに、製造工程での作業効率を高めることができるので、化粧料容器の製造コストを低減させることができるものである。
【００１２】
第１の特徴を踏まえて、
第３の特徴として、上記パッキンにおいて、底面を化粧料容器本体の開口部側に対して凹陥する湾曲面とするパッキン部と、バネ部に代えて該パッキン部と塗布具の軸の根元部との間に挟持されるスプリングとからなるものである。
【００１３】
そのため、スプリングの強弱を調整することにより、キャップ内に保持されるパッキンの底面と化粧料容器本体の開口部内に固持される開口部材の先端面との密着性を向上させるものとなる。その結果、化粧料容器本体内に収容される液体化粧料の外部への漏出を確実に防止することができる。
【発明の効果】
【００１４】
本願発明は、キャップ内に保持され、先端に塗布部を具える塗布体の軸部の長さを変えることなく、必要に応じて該塗布具先端に具える塗布部を化粧料容器本体の底部まで届くようにして、該塗布体に対して化粧料容器本体の底部に残る化粧料を確実に付着させられるので、化粧料容器本体内に収容される化粧料を無駄なく使い切ることができる優れた効果を有するものである。
【図面の簡単な説明】
【００１５】
【図１】図１は、本願発明の実施例１である液体化粧料塗布容器の拡大断面図である。
【図２】図２は、本願発明の実施例１である液体化粧料塗布容器において、液体化粧料の残量が少ない場合の拡大断面図である。
【図３】図３は、本願発明の実施例１である液体化粧料塗布容器を構成するキャップの拡大断面図である。
【図４】図４（イ）は、本願発明の実施例１である液体化粧料塗布容器のパッキンの正面図、（ロ）は、その縦断面図である。
【図５】図５は、本願発明の実施例２である液体化粧料塗布容器を構成するキャップの拡大断面図である。
【図６】図４（イ）は、本願発明の実施例２である液体化粧料塗布容器のパッキンの正面図、（ロ）は、その縦断面図である。
【発明を実施するための形態】
【００１６】
化粧料容器本体の底部に残った化粧料を最後まで使い切れるようにするために、化粧料容器本体の開口部内に固持される開口部材先端面との密着性を維持しつつキャップを傾動自在、且つ回転自在にするとともに、キャップと化粧料容器本体の開口部との間で構成される回転軸受部を構成する嵌合部をキャップ側へ移動可能とすることで実現した。
【実施例１】
【００１７】
図１において示すのは、本願発明の実施例１である化粧料容器１である。該化粧料容器１は、キャップ２と、その内部に液体化粧料９を収容し、一体に形成される開口部１０を該キャップ２により密閉してなる化粧料容器本体８とからなるものである。
【００１８】
そして、該キャップ２は、その底面３ａを開口部１０に対して凹陥する湾曲面としてなるパッキン３とともに、根元部５ａをキャップ２の内部に固持する軸部５先端の保持孔５ｂ内において塗布体６を具えてなる塗布具４を内装保持し、さらにその開口内周面２ａにおいて複数の突条縁７、７を突出形成するものである。なお、パッキン３と塗布具４の軸部５との間にはＯリング１３が介装されており、化粧料容器１内の密閉性を確実に維持するものである。
【００１９】
また、該化粧料容器本体８は、開口部１０の外周面に外方に膨出する略半球面状の嵌合部１１を形成するとともに、その内部には塗布具４の軸部５や塗布体６の表面に過剰に付着した液体化粧料９を扱いてなるシゴキ１２ａを一体に形成し、さらにその先端面１２ｂがパッキン３の底面３ａと密着、摺動自在となるようにパッキン３方向に突出する湾曲面としてなる開口部材１２を固持するものである。
【００２０】
さらに、該キャップ２内の保持されるパッキン３の底面３ａと、化粧料容器本体８の開口部１０に固持される開口部材１２の先端面１２ｂとで密着して摺動自在となる気密摺動部Ａを、
該キャップ２の複数の突条縁７、７間と、化粧料容器本体８の開口部１０の略半球面状の嵌合部１１とで密着して傾動摺動自在、且つ回転摺動自在となる回転軸受部Ｂを構成するものである。
このため、塗布具４を保持するキャップ２は化粧料容器本体８の開口部１０に対して密閉性を維持しつつ傾動自在、且つ回転自在となるものである。
【００２１】
その上で、本願発明の実施例１である化粧料容器１において、該気密摺動部Ａを化粧料容器本体８の開口部１０に固持される開口部材１２の先端面１２ｂとともに構成するパッキン３が、その底面３ａを化粧料容器本体８の開口部１０に対して凹陥する湾曲面とするパッキン部３ｂと、塗布具４の軸部５に沿って伸縮自在となるバネ部３ｃとを一体に成形してなるものである。
【００２２】
本願発明の実施例１である化粧料容器１は上記構成を具えるので、化粧料容器本体８内に収容される液体化粧料９が十分に残っている場合には、キャップ２を化粧料容器本体８に対して一体に装着したままで傾動及び回転させることで、キャップ２に保持される塗布具４は、化粧料容器本体８の開口部１０に挿嵌される開口部材１２の先端面１２ｂの湾曲面とパッキン３の底面３ａに形成される湾曲面とからなる気密摺動部Ａによって密閉性を維持しつつ、前記回転軸受部Ｂを構成する突条縁７、７間に対して嵌合する開口部１０の嵌合部１１を中心に化粧料容器本体８内で傾動摺動及び回転摺動するものである。その結果、塗布具４先端の塗布体６に化粧料容器本体８内に収容される液体化粧料９を外部に漏出させることなく万遍なく付着させることができる。
【００２３】
一方、化粧料容器本体８内に収容される液体化粧料９の残量が少なくなった場合には、該化粧料容器本体８をキャップ２内に押し込むことで、パッキン３はキャップ２方向にパッキン部３ａが押勢されてバネ部３ｃを圧縮するとともに、キャップ２の突条縁７、７とともに回転軸受部Ｂを構成する化粧料容器本体８の開口部１０の外周面に形成される略半球面状の嵌合部１１はキャップ２の開口内周面２ａに形成される複数の突条縁７、７のうちキャップ２側の突条縁７を乗り越えるものである。従って、パッキン３と開口部材１２の先端面１２ｂとの間はバネ部３ｃの反発力により密着するとともに、化粧料容器本体８の開口部１０の嵌合部１１は、乗り越えた突条縁７の上部で該突条縁７とキャップ２の開口内周面２ａとの間で新たに回転軸受部Ｂ’を構成するものである。すなわち、キャップ２に保持される塗布具４の軸部５自体の長さは変わらないものの、回転軸受部Ｂが新たな回転軸受部Ｂ’とその位置を変えることでキャップ２と化粧料容器本体８とが接近することから、該塗布具４先端に具える塗布体６は化粧料容器本体８の底部、特に化粧料容器本体８の内周面底部近傍にまで届くものとなる。その結果、キャップ２を化粧料容器本体８に対して傾動自在、且つ回転自在とすることで、塗布具４の塗布体６は確実に化粧料容器本体８の底部残る僅かな液体化粧料９をも付着させて、使い切ることができるものとなる。
【実施例２】
【００２４】
図５において示すのは、本願発明の実施例２である化粧料容器（図示せず）を構成するキャップ２’である。該キャップ２’は、その構成が実施例１である化粧料容器１を構成するキャップ２と主要な構成は共通し、パッキン３’とともに、根元部５ａを固持される軸部５先端の保持孔５ｂ内に塗布体６を具える塗布具４を保持するとともに、その開口内周面２ａにおいて突出する複数の突条縁７、７を形成するものである。
【００２５】
しかしながら、本願発明の実施例２である化粧料容器を構成するキャップ２’内に塗布具４とともに保持されるパッキン３’が、底面３ａ’を化粧料容器本体８の開口部１０に対して凹陥する湾曲面となるパッキン部３ｂ’と、該パッキン部３ｂ’と塗布具４の軸部５の根元部５ａとの間に挟持されるスプリング３ｄとからなるものである点で、底面３ａを化粧料容器本体８の開口部１０に対して凹陥する湾曲面となるパッキン部３ｂと、伸縮自在となるバネ部３ｃとが一体に成形されている実施例１のパッキン３とは相違するものである。
【００２６】
本願発明の実施例２である化粧料容器は上記構成を具えるので、実施例１の化粧料容器と同様に、化粧料容器本体８内に収容される化粧料が十分に残っている場合には、キャップ２を化粧料容器本体８に対して一体に装着したままで傾動及び回転させることで、キャップ２に保持される塗布具４は、化粧料容器本体８の開口部１０に挿嵌される開口部材１２の先端面１２ｂの湾曲面と、パッキン３’の底面３ａ’の湾曲面とからなる気密摺動部Ａによって密閉性を維持しつつ、前記回転軸受部Ｂを構成する突条縁７、７間に対して嵌合する開口部１０の嵌合部１１を中心に化粧料容器本体８内で傾動摺動及び回転摺動するものである。その結果、塗布具４先端の塗布体６に化粧料容器本体８内に収容される液体化粧料９を外部に漏出させることなく万遍なく付着させることができる。
【００２７】
一方、化粧料容器本体８内に収容される液体化粧料９の残量が少なくなった場合には、実施例１の化粧料容器１と同様に、該化粧料容器本体８をキャップ２内に押し込むことで、パッキン３’はキャップ２方向にパッキン部３ａ’が押勢されてスプリング３ｄを圧縮するとともに、キャップ２の突条縁７、７とともに回転軸受部Ｂを構成する化粧料容器本体８の開口部１０の外周面に形成される略半球面状の嵌合部１１はキャップ２の開口内周面２ａに形成される複数の突条縁７、７のうちキャップ２側の突条縁７を乗り越えるものである。従って、パッキン３’と開口部材１２の先端面１２ｂとの間はスプリング３ｄの反発力により密着するとともに、化粧料容器本体８の開口部１０の嵌合部１１は、乗り越えた突条縁７の上部で該突条縁７とキャップ２の開口内周面２ａとの間で新たに回転軸受部を構成するものである。すなわち、キャップ２に保持される塗布具４の軸部５自体の長さは変わらないものの、回転軸受部Ｂの位置が変わることでキャップ２と化粧料容器本体８とが接近することから、該塗布具４先端に具える塗布体６は化粧料容器本体８の底部、特に化粧料容器本体８の内周面底部近傍にまで届くものとなる。その結果、キャップ２を化粧料容器本体８に対して傾動自在、且つ回転自在とすることで、塗布具４の塗布体６は確実に化粧料容器本体８の底部残る僅かな液体化粧料９をも付着させて、使い切ることができるものとなる。
【産業上の利用可能性】
【００２８】
本願発明の化粧料容器は化粧料容器本体内に収容する化粧料を残らず使い切ることができるので、修正塗料や接着剤などの容器にもできる。
【符号の説明】
【００２９】
１    化粧料容器
２    キャップ
３、３’    パッキン
３ａ、３ａ’    底面
３ｂ、３ｂ’    パッキン部
３ｃ    バネ部
３ｄ    スプリング
４    塗布具
５    軸部
５ａ    根元部
５ｂ    保持孔
６    塗布体
７    突条縁
８    化粧料容器本体
９    液体化粧料
１０    開口部
１１    嵌合部
１２    開口部材
１２ａ    シゴキ
１２ｂ    先端面
１３    Ｏリング
Ａ      気密摺動部
Ｂ、Ｂ’      回転軸受部
【図１】
0005892483.tif 000002
【図２】
0005892483.tif 000003
【図３】
0005892483.tif 000004
【図４】
0005892483.tif 000005
【図５】
0005892483.tif 000006
【図６】
0005892483.tif 000007